(57)【要約】【課題】戸体の表面に孔を有しつつも火炎が貫通しにくい戸体を提供する。【解決手段】パネル体の表面に取り付けられる表面取付部材を有する戸体であって、前記表面取付部材は、前記パネル体側に向かって突出する突部を有し、前記パネル体は、芯材、および、前記突部が挿入される挿入孔を備え前記芯材を覆って前記パネル体の表面をなす鋼板製の表面材を有しており、前記挿入孔から前記パネル体内側に向かって挿入される難燃性または不燃性の介装部材を有し、前記介装部材は、前記挿入孔に挿入されて前記表面材に係止されることにより、前記パネル体内を仕切って前記突部が挿入可能な挿入空間を形成する。【選択図】図２
2015224431.tif 000002
【特許請求の範囲】
【請求項１】
パネル体の表面に取り付けられる表面取付部材を有する戸体であって、
前記表面取付部材は、前記パネル体側に向かって突出する突部を有し、
前記パネル体は、芯材、および、
前記突部が挿入される挿入孔を備え前記芯材を覆って前記パネル体の表面をなす鋼板製の表面材を有しており、
前記挿入孔から前記パネル体内側に向かって挿入される難燃性または不燃性の介装部材を有し、
前記介装部材は、前記挿入孔に挿入されて前記表面材に係止されることにより、前記パネル体内を仕切って前記突部が挿入可能な挿入空間を形成することを特徴とする戸体。
【請求項２】
請求項１に記載の戸体であって、
前記介装部材は、前記挿入孔に挿入されたときに前記パネル体内に位置する内在部と、前記パネル体の外側に位置して前記表面に当接される外在部とを有し、
前記内在部は、前記挿入孔に挿入可能な先端部と、前記外在部と前記先端部とを連結する連結部と、前記先端部から前記外在部側に延出されて前記表面材の面内方向において前記挿入孔の内外方向に弾性変形可能な延出部と、を有し、
前記内在部が前記パネル体内に挿入されたときに、前記延出部の前記外在部側の端部が前記挿入孔の外側に位置することを特徴とする戸体。
【請求項３】
請求項１または請求項２に記載の戸体であって、
前記介装部材の前記挿入空間側に加熱発泡材が設けられていることを特徴とする戸体。
【請求項４】
請求項３に記載の戸体であって、
前記加熱発泡材は、前記介装部材において前記挿入空間の下側に位置する部位に載置されて貼り付けられていることを特徴とする戸体。
【請求項５】
請求項３または請求項４に記載の戸体であって、
前記加熱発泡材は、前記表面材の面内方向において前記挿入孔の外側の領域に配置されていることを特徴とする戸体。
【発明の詳細な説明】
【技術分野】
【０００１】
本発明は、表面に取り付けられる表面取付部材を有する戸体に関する。
【背景技術】
【０００２】
表面に取り付けられる表面取付部材を有する戸体としては、例えば、扉体の屋外側の表面に、上下方向に沿ってその全長に渡って表面取付部材としての化粧材が取り付けられているドアが知られている(例えば、特許文献１参照)。化粧材の両端部近傍には、扉体に向かって突出する略円錐形状の突起部が設けられており、化粧材は、扉体の表面をなす金属パネルに設けられた挿入孔に突起部が挿入されることで位置決めされている。
【先行技術文献】
【特許文献】
【０００３】
【特許文献１】特許第５３８５２２７号公報
【発明の概要】
【発明が解決しようとする課題】
【０００４】
上記の化粧材のように、扉体に設けられた挿入孔は、火災等により化粧材が溶融または落下すると、開放されてしまい火炎が屋内外を貫通してしまうおそれがある。
本発明は、かかる課題に鑑みてなされたものであり、その目的とするところは、戸体の表面に孔を有しつつも火炎が貫通しにくい戸体を提供することにある。
【課題を解決するための手段】
【０００５】
かかる目的を達成するために本発明の戸体は、パネル体の表面に取り付けられる表面取付部材を有する戸体であって、前記表面取付部材は、前記パネル体側に向かって突出する突部を有し、前記パネル体は、芯材、および、前記突部が挿入される挿入孔を備え前記芯材を覆って前記パネル体の表面をなす鋼板製の表面材を有しており、前記挿入孔から前記パネル体内側に向かって挿入される難燃性または不燃性の介装部材を有し、前記介装部材は、前記挿入孔に挿入されて前記表面材に係止されることにより、前記パネル体内を仕切って前記突部が挿入可能な挿入空間を形成することを特徴とする戸体である。
【０００６】
このような戸体によれば、パネル体の表面材に設けられ、表面取付部材の突部が挿入される挿入孔には、パネル体内を仕切って突部が挿入可能な挿入空間を形成する難燃性または不燃性の介装部材が配置されるので、たとえ火炎等により表面取付部材が溶融または脱落したとしても、挿入孔内の難燃性または不燃性の介装部材により火炎が貫通することを抑制することが可能である。このため、戸体の表面に孔を有しつつも火炎が貫通しにくい戸体を提供することが可能である。
【０００７】
かかる戸体であって、前記介装部材は、前記挿入孔に挿入されたときに前記パネル体内に位置する内在部と、前記パネル体の外側に位置して前記表面に当接される外在部とを有し、前記内在部は、前記挿入孔に挿入可能な先端部と、前記外在部と前記先端部とを連結する連結部と、前記先端部から前記外在部側に延出されて前記表面材の面内方向において前記挿入孔の内外方向に弾性変形可能な延出部と、を有し、前記内在部が前記パネル体内に挿入されたときに、前記延出部の前記外在部側の端部が前記挿入孔の外側に位置することが望ましい。
【０００８】
このような戸体によれば、介装部材の、先端部から外在部側に延出された延出部は、内在部がパネル体内に挿入されたときに外在部側の端部が表面材の面内方向において挿入孔の外側の領域に位置するので、挿入された介装部材が抜け落ちることを防止することが可能である。また、介装部材は、先端部が挿入孔に挿入可能なので挿入しやすく、挿入されたときに外在部側の端部が表面材の面内方向において挿入孔の外側の領域に位置する延出部は、挿入孔の内外方向に弾性変形可能なので、先端部側から内在部をパネル体に挿入するだけで容易に取り付けることが可能である。
【０００９】
かかる戸体であって、前記介装部材の前記挿入空間側に加熱発泡材が設けられていることが望ましい。
このような戸体によれば、火災などにより加熱されたときには、挿入空間内に加熱発泡材が発泡するので、挿入孔から火炎が貫通することをより確実に抑制することが可能である。
【００１０】
かかる戸体であって、前記加熱発泡材は、前記介装部材において前記挿入空間の下側に位置する部位に載置されて貼り付けられていることが望ましい。
このような戸体によれば、加熱発泡材は介装部材における挿入空間の下側に位置する部位に載置されて貼り付けられているので、介装部材から剥がれ落ちることを防止することが可能である。また、加熱発泡材が、表面材の面内方向において挿入孔の内外方向に弾性変形可能な延出部の内面に設けられているので、突部が挿入された際に突部が加熱発泡材に接触する場合であっても、延出部が弾性変形して突部の進入は妨げられない。すなわち、防火性能を有しつつ挿入孔に突部を確実に挿入させて表面取付部材を取り付けることが可能である。
【００１１】
かかる戸体であって、前記加熱発泡材は、前記表面材の面内方向において前記挿入孔の外側の領域に配置されていることが望ましい。
このような戸体によれば、加熱発泡材は、表面材の面内方向において挿入孔の外側に配置されているので、突部が挿入された際に突部が加熱発泡材に接触しない。このため、突部の進入は妨げられないので、防火性能を有しつつ挿入孔に突部を確実に挿入させて表面取付部材を取り付けることが可能である。
【発明の効果】
【００１２】
本発明によれば、戸体の表面に孔を有しつつも火炎が貫通しにくい戸体を提供することが可能である。
【図面の簡単な説明】
【００１３】
【図１】本実施形態に係る扉を屋外側から見た正面図である。
【図２】扉のパネル体、化粧モール、介装部材を説明する斜視図である。
【図３】扉の平断面図である。
【図４】介装部材を示す斜視図である。
【図５】表面材に係止された介装部材を示す縦断面図である。
【図６】図６Ａは、化粧材本体と端部キャップとを示す斜視図であり、図６Ｂは、端部キャップが取り付けられた状態を示す斜視図である。
【図７】位置決め突部が挿入された状態を示す縦断面図である。
【発明を実施するための形態】
【００１４】
以下、本発明の一実施形態に係る戸体について図面を参照して説明する。
本実施形態では、戸体として、玄関に用いられる玄関扉を例に挙げて説明する。
【００１５】
以下の説明においては、玄関扉（以下、扉という）が建物に取り付けられている状態で屋外側から見たときに、上下となる方向を上下方向、左右となり扉の幅となる方向を左右方向、屋内外方向である奥行き方向を見込み方向として示す。扉の各部位であっても、また、扉を構成する各部材については単体の状態であっても、扉が取り付けられた状態で上下方向、左右方向、見込み方向等となる方向にて方向を特定して説明する。
【００１６】
扉１は、図１に示すように、扉１の本体をなすパネル体２と、パネル体２の屋外側表面の左右方向におけるほぼ中央に、上下方向の全長にわたり固定される表面取付部材である３本の化粧モール１０と、を有している。図１においては、右側が吊り元側となり、扉１は、右側の端部に設けられたヒンジ３ａにより枠体３（図３）に回動自在に支持される。
【００１７】
パネル体２は、図２、図３に示すように、パネル状に形成された発泡ウレタン製の芯材４と、芯材４の外周を囲むように設けられた不燃性である鉄製のフレーム５と、芯材４の屋外側及び屋内側の面を覆い塗装や処理などの化粧が施された鋼板製の表面材６と、を有している。パネル体２の屋外側の表面材６には、この表面材６に取り付けられる３本の化粧モール１０を位置決めするための矩形状の挿入孔としての位置決め孔６ａが、１本の化粧モール１０に対して上下端部にそれぞれ２つずつ、合計４つ設けられている。またパネル体２には、戸先側に扉１を開閉するためのハンドル及びハンドル操作により出没して枠体と係合するラッチ機構が設けられているが図２、図３においては図示を省略している。
【００１８】
パネル体２の表面材６に形成された位置決め孔６ａには、パネル体２内側に向かって挿入されて、図２に示すように、パネル体２内を仕切って化粧モール１０を位置決めするための後述する位置決め突部１４ａが挿入可能な挿入空間Ｓを形成する難燃性または不燃性の介装部材２０が係止されている。
【００１９】
介装部材２０は、図４、図５に示すように、位置決め孔６ａに挿入されたときにパネル体２内に位置する内在部２１と、パネル体２の外側に位置して表面材６に当接される外在部２５とを有している。内在部２１は、位置決め孔６ａより小さな先端部２２と、外在部２５と先端部２２とを連結する連結部２３と、先端部２２から外在部２５側に延出された延出部２４と、を有している。
【００２０】
本実施形態の介装部材２０は、鋼板が所定の形状に切断されるとともに所定の位置にて折り曲げられて形成されている。介装部材２０の先端部２２は、矩形状の位置決め孔６ａに合わせて、高さ及び幅が位置決め孔６ａの高さ及び幅よりいずれも小さな矩形状をなしている。先端部２２の左右の縁にて互いに対向する方向に折り曲げられて連結部２３が形成されており、連結部２３の屋外側の縁にて各々対向する側と反対方向に折り曲げられて外在部２５が形成されている。左右の連結部２３における外在部２５との境界部分の間隔は、位置決め孔６ａの左右方向の幅より僅かに狭く形成されている。また、先端部２２の上下の縁にて互いに対向する方向に折り曲げられて延出部２４が形成されており、延出部２４の屋外側の端部２４ａは、連結部２３の屋外側の先端２３ａより屋内側に位置している。
【００２１】
内在部２１が位置決め孔６ａに挿入されたときに、延出部２４は、外在部２５側の端が、見込み方向において屋外側の表面材６の屋内側に位置するように形成されている。また、延出部２４は、先端部２２と境界部分を支点として撓むように弾性変形し、外在部２５側の端が、位置決め孔６ａの中心側となる位置決め孔６ａより内側の領域と位置決め孔６ａより外側の領域との間で移動可能、すなわち、表面材６の面内方向において位置決め孔６ａの内外方向に移動可能に形成されている。
【００２２】
介装部材２０は、屋外側から位置決め孔６ａに向かって先端部２２側から挿入される。このとき、屋外側の端部２４ａが位置決め孔６ａより外側の領域に位置する延出部２４は、位置決め孔６ａの上下の縁に押圧されて位置決め孔６ａより内側に弾性変形し、図５に示すように、外在部２５が表面材６に当接される前に延出部２４が位置決め孔６ａから外れて復元し、屋外側の端部２４ａが位置決め孔６ａより外側の領域に移動することにより、介装部材２０が表面材６に保持される。このため延出部２４は、介装部材２０が表面材６に装着されたときに、屋外側の端部２４ａが、表面材６の内面に当接する、或いは、表面材６の内面と僅かに間隔を隔てて位置するように形成されている。介装部材２０が装着されて、左右の連結部２３と上下の延出部２４との内側の空間が位置決め突部１４ａの挿入空間Ｓとなる。
【００２３】
介装部材２０において挿入空間Ｓの下側に位置する、下側の延出部２４の上面２４ｂには、加熱されて発泡する加熱発泡材としての熱膨張性黒鉛２６が貼り付けられている。熱膨張性黒鉛２６は、介装部材２０が表面材６に装着された状態で、位置決め孔６ａより外側の領域に配置される。
【００２４】
図６に示すように、３本の化粧モール１０は各々、アルミニウム製の押し出し成形部材でなる化粧材本体１１と、化粧材本体１１の上下の小口を覆う合成樹脂製の端部キャップ１２と、を有している。
【００２５】
化粧材本体１１は、屋外に臨み左右方向の中央がパネル体２側に窪むように湾曲した正面湾曲部１１ａと、正面湾曲部１１ａの左右方向における縁からパネル体２側に延出されて見込面を形成する見込み壁部１１ｂと、見込み壁部１１ｂのパネル体２側の先端から各々互いに対向する側に延出された外延出片１１ｃと、化粧材本体１１の左右の幅の左右の見込み壁部１１ｂと各々化粧材本体１１の幅の約１／４の距離を隔てて見込み壁部１１ｂと平行に設けられた２つのリブ１１ｄと、リブ１１ｄのパネル体２側に設けられパネル体２側に開放されたＵ字状をなし先端がパネル体２に当接されるＵ型当接片１１ｅと、各Ｕ型当接片１１ｅにて各々見込み壁部１１ｂと対向する部位の先端から当該見込み壁部１１ｂ側に延出された内延出片１１ｆと、を有している。
【００２６】
すなわち化粧材本体１１は、左右のリブ１１ｄ及び各リブ１１ｄと繋がったＵ型当接片１１ｅの間に左右のＵ型当接片１１ｅ間が開放されて上下方向に連通する中央連通空間１１ｇと、左側の見込み壁部１１ｂおよび左側の見込み壁部１１ｂと繋がった外延出片１１ｃと左側のリブ１１ｄおよび左側のリブ１１ｄとＵ型当接片１１ｅを介して繋がった内延出片１１ｆとの間に外延出片１１ｃと内延出片１１ｆとの間が開放されて上下方向に連通する左連通空間１１ｈと、右側の見込み壁部１１ｂおよび右側の見込み壁部１１ｂと繋がった外延出片１１ｃと左側のリブ１１ｄおよび右側のリブ１１ｄとＵ型当接片１１ｅを介して繋がった内延出片１１ｆとの間に外延出片１１ｃと内延出片１１ｆとの間が開放されて上下方向に連通する右連通空間１１ｉと、を有している。
【００２７】
端部キャップ１２は、中央連通空間１１ｇおよび左右の連通空間１１ｈ、１１ｉに嵌合されて化粧材本体１１の小口１１ｊを覆うキャップ本体１３と、キャップ本体１３にスライド自在に支持されて化粧モール１０をパネル体２に対して位置決めする位置決め突部１４ａを備えたスライドピース１４と、を有している。
【００２８】
キャップ本体１３は、化粧材本体１１の小口１１ｊより僅かに大きな板状をなす端部板部１３１と、端部板部１３１の一方の面側に突出し、中央連通空間１１ｇ及び左右の連通空間１１ｈ、１１ｉにそれぞれ嵌入される中央嵌入部１３２、左嵌入部１３３および右嵌入部１３４を備えている。
【００２９】
中央嵌入部１３２は、パネル体２の表面とほぼ平行に対面し屋外側の面が化粧材本体１１の正面湾曲部１１ａの内面に当接される対面当接部１３２ａと、対面当接部１３２ａの左右の端部と繋がるとともに左右のリブ１１ｄに近接して対面する側対面部１３２ｂと、が端部板部１３１から突出されている。側対面部１３２ｂは、中央嵌入部１３２が中央連通空間１１ｇに嵌入されて対面当接部１３２ａが正面湾曲部１１ａに当接されたときに、屋内側の先端１３２ｃが各々Ｕ型当接片１１ｅに当接するように構成されている。
【００３０】
左嵌入部１３３と右嵌入部１３４とは、見込み方向に沿う線に対して線対称な形状をなしている。このため、ここでは左嵌入部１３３を例に挙げて説明し、右嵌入部１３４の左嵌入部１３３と対応する各部位には、右嵌入部１３４を示す「１３４」に左嵌入部１３３と同アルファベットを付して示し説明は省略する。
【００３１】
左嵌入部１３３と右嵌入部１３４の上端側には、屋内側、すなわちパネル体２側に開放された凹部１３３ａが設けられている。この凹部１３３ａは、上端から下方に左嵌入部１３３の高さ方向の約１／３に設けられている。凹部１３３ａは、左右方向に対向し凹部１３３ａの左右の壁部をなす左壁部１３３ｂおよび右壁部１３３ｃと、左壁部１３３ｂと右壁部１３３ｃとに屋外側で繋がった連結壁部１３３ｄとで形成されている。左壁部１３３ｂと右壁部１３３ｃが互いに対向する内面側には、互いに対向する位置に上下方向に沿って突出するガイド突起１３３ｅが設けられている。ガイド突起１３３ｅは、凹部１３３ａの見込み方向における中央より僅かに屋内側に配置されている。
【００３２】
スライドピース１４は、キャップ本体１３の凹部１３３ａに挿入されてガイド突起１３３ｅに沿って上下方向にスライド可能なブロック状の部材である。スライドピース１４は、ほぼ直方体状をなすスライダー本体１４ｂと、スライダー本体１４ｂから屋内側に突出する位置決め突部１４ａと、を有している。
【００３３】
スライダー本体１４ｂは、左右の側面に各々内側に窪み上下方向に沿う溝部１４ｃを有しており、この溝部１４ｃにガイド突起１３３ｅが挿入されるようにキャップ本体１３の凹部１３３ａに装着される。本実施形態のスライダー本体１４ｂは、凹部１３３ａに軽圧入されており、外力が作用しない状態ではスライドせず、外力が作用したときにガイド突起１３３ｅに沿ってスライドするように構成されている。
【００３４】
位置決め突部１４ａは、スライダー本体１４ｂの屋内側の面のほぼ中央から屋内側に突出させて設けられている。位置決め突部１４ａは、パネル体２の表面と平行な面で切断した際の切断面が十字状をなし、先端側は先端に向かって上下左右の幅がいずれも狭くなるようにテーパー状をなしている。位置決め突部１４ａのスライダー本体１４ｂ側の部位は、上下左右の幅がいずれも、パネル体２の屋外側の面をなす表面材６に設けられた矩形状の位置決め孔６ａの幅および高さとほぼ一致するように形成されている。
【００３５】
各化粧モール１０は、スライドピース１４が左嵌入部１３３および右嵌入部１３４の凹部１３３ａに装着された状態で、化粧材本体１１に嵌入されてパネル体２に取り付けられる。このとき、化粧材本体１１の内延出片１１ｆにおける屋内側の面には、両面テープが設けられており、図７に示すように、化粧モール１０の上下端部に設けられた位置決め突部１４ａが、パネル体２の屋外側の面をなす表面材６の位置決め孔６ａに装着された介装部材２０の挿入空間Ｓに挿入されて両面テープで固定される。このとき、上下の端部キャップ１２がいずれもスライドピース１４を備えている場合には、少なくとも化粧モール１０が左右方向に位置決めされ、上端側および下端側のいずれか一方の端部キャップ１２のみスライドピース１４を備え他方の端部キャップ１２がキャップ本体１３とスライドピース１４が一体をなすような端部キャップ１２の場合には、化粧モール１０が上下方向にも位置決めされる。
【００３６】
本実施形態の扉１によれば、パネル体２の表面材６に設けられ、化粧モール１０の位置決め突部１４ａが挿入される位置決め孔６ａには、挿入空間Ｓを形成し、当該挿入空間Ｓと芯材４との間に配置される不燃性である鋼板製の介装部材２０が配置されるので、たとえ火炎等により化粧モール２０が溶融または脱落したとしても、位置決め孔６ａ内の介装部材２０により火炎が屋内外に貫通することを抑制することが可能である。このため、扉１の表面に位置決め孔６ａを有しつつも火炎が貫通しにくい扉１を提供することが可能である。
【００３７】
また、介装部材２０の、先端部２２から外在部２５側に延出された延出部２４は、内在部２１がパネル体２内に挿入されたときに外在部２５側の端部２４ａが位置決め孔６ａより外側の領域に位置するので、挿入された介装部材２０が抜け落ちることを防止することが可能である。また、介装部材２０は、先端部２２が位置決め孔６ａより小さく形成されており、挿入されたときに外在部２５側の端部２４ａが位置決め孔６ａより外側に位置する延出部２４は、表面材６の面内方向において位置決め孔６ａの内外方向に弾性変形可能なので、先端部２２側から内在部２１をパネル体２に挿入するだけで容易に取り付けることが可能である。
【００３８】
また、火災などにより加熱されたときには、挿入空間Ｓ内に設けられた熱膨張性黒鉛２６が発泡するので、位置決め孔６ａから火炎が貫通することをより確実に抑制することが可能である。
【００３９】
また、熱膨張性黒鉛２６は介装部材２０における挿入空間Ｓの下側に位置する下側の延出部２４に載置されて貼り付けられているので、熱膨張性黒鉛２６が介装部材２０から剥がれ落ちることを防止することが可能である。また、熱膨張性黒鉛２６が、表面材６の面内方向において位置決め孔６ａの内外方向に弾性変形可能な延出部２４の上面２４ｂに設けられているので、位置決め突部１４ａが挿入された際に位置決め突部１４ａが熱膨張性黒鉛２６に接触する場合であっても、延出部２４が弾性変形して位置決め突部１４ａの進入は妨げられない。すなわち、防火性能を有しつつ位置決め孔６ａに位置決め突部１４ａを確実に挿入させて化粧モール１０を取り付けることが可能である。
【００４０】
また、熱膨張性黒鉛２６は、位置決め孔６ａより外側の領域に配置されているので、位置決め突部１４ａが挿入された際に位置決め突部１４ａが熱膨張性黒鉛２６に接触しない。このため、位置決め突部１４ａの進入は妨げられないので、防火性能を有しつつ位置決め孔６ａに位置決め突部１４ａを確実に挿入させて化粧モール１０を取り付けることが可能である。
【００４１】
上記実施形態においては、位置決め突部１４ａが挿入される位置決め孔６ａを矩形状としたが、円形状や楕円形状であっても、表面材に係止されて突部が挿入可能な挿入空間が形成されるものであれば構わない。
【００４２】
上記実施形態においては、表面取付部材を化粧モールとしたが、これに限らず、その他の化粧材やその他の部材であっても構わない。また、挿入孔に挿入される突部を位置決め突部としたが、これに限らず、例えば、ビス止めする際に、固定する部材が回転することを防止する回転防止用の突部など、パネル体側に突出する突部であれば構わない。また、化粧モール１０が屋外側の表面に取り付けられている例について説明したが、屋内側の表面であっても構わない。
【００４３】
上記実施形態においては、互いの間隔を変更可能に設けられた位置決め突部１４ａが端部キャップ１２に設けられている例について説明したが、これに限らず、化粧材本体１１に上下方向に移動可能に設けられていてもよい。
【００４４】
上記実施形態においては、戸体として玄関扉１を例に挙げて説明したが、これに限らず、居室などの室内外を仕切る扉であっても構わない。また、扉に限らず、引戸などの障子やＦＩＸ障子などであっても構わない。
【００４５】
上記実施形態においては、パネル体２を屋内外にて覆っている表面材６およびフレーム５を不燃性の鋼板製としたが、ステンレスや鉄等の不燃性の金属等は、もちろんのこと、難燃性の材料で構成しても構わない。
【００４６】
また、上記実施形態においては、芯材４を発泡ウレタン製としたが、これに限るものではなく、屋内外の表面材６の間に介在されて屋内外の表面材の間隔を確保し維持可能な部材であれば構わない。たとえば、ペーパーハニカムやペーパーハニカムに水酸化アルミニウムを浸透させた芯材、ペーパーハニカムにグラスウールを詰めた芯材等を用いることにより、耐火性を更に向上させることが可能である。また、芯材４はパネル状に限らず、例えば、金属製のチャンネル材などが枠状に形成された部材であっても構わない。
【００４７】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  扉（玄関扉）、２  パネル体、４  芯材、６  表面材、６ａ  位置決め孔、
１０  化粧モール、１４  スライドピース、１４ａ  位置決め突部、
２０  介装部材、２１  内在部、２２  先端部、２３  連結部、２４  延出部、
２５  外在部、２６  熱膨張性黒鉛、
Ｓ  挿入空間
【図１】
2015224431.tif 000003
【図２】
2015224431.tif 000004
【図３】
2015224431.tif 000005
【図４】
2015224431.tif 000006
【図５】
2015224431.tif 000007
【図６】
2015224431.tif 000008
【図７】
2015224431.tif 000009